(57)【要約】【課題】引き上げることで包装箱から被包装物を取り出し易くなり、且つその取り出し時の被包装物の落下防止が可能であることに加えて、緩衝包装材からも被包装物を取り出し易く、リサイクル性が高められた緩衝包装材を提供する。【解決手段】緩衝包装材１は、被包装物１０１を載置する底面部２と、この底面部２に隣接し、折り曲げて起立させることで被包装物１０１の四方の側面を保護する側面部３〜６とを備えるとともに、側面部３〜６の間に、第１の対向する一対の側面部３、４と、第２の対向する一対の側面部５、６とが係合することにより、第１の対向する一対の側面部３、４は外側に所定角度まで傾斜させるように開放でき、第２の対向する一対の側面部５、６は起立した状態で保持できる開閉構造２０、３０を備える。これにより、緩衝包装材１から被包装物１０１を取り出すとき、対向する一対の側面部３、４を外側に開放できる。【選択図】図５
2009292501.tif 000002
【特許請求の範囲】
【請求項１】
被包装物を載置する底面部と、この底面部に隣接し、折り曲げて起立させることで被包装物の四方の側面を保護する側面部とを備えるとともに、これら側面部の間に、第１の対向する一対の側面部と、第２の対向する一対の側面部とが係合することにより、第１の対向する一対の側面部は外側に所定角度まで傾斜させるように開放することが可能であって、第２の対向する一対の側面部は起立した状態で保持することが可能な開閉構造を備えることを特徴とする緩衝包装材。
【請求項２】
前記開閉構造は、前記第１の対向する一対の側面部に設けられ、前記第２の対向する一対の側面部に向かって延びる、先端に開放規制部を有するアーム部と、第２の対向する一対の側面部に設けられ、前記開放規制部が係合する開口部を有する、前記アーム部の収容部とを備えることを特徴とする請求項１に記載の緩衝包装材。
【請求項３】
前記側面部のうち、前記第１の対向する一対の側面部は、手を掛けることが可能な把手部を備えることを特徴とする請求項１または請求項２に記載の緩衝包装材。
【請求項４】
前記把手部は、補強部材を備えることを特徴とする請求項３に記載の緩衝包装材。
【発明の詳細な説明】
【技術分野】
【０００１】
本発明は、被包装物である物品を包装するための包装箱の内部に配置される緩衝包装材に関する。
【背景技術】
【０００２】
画像形成装置や家庭用電化製品、そしてそれらを構成する機能部材や電子部品等の物品は、通常段ボールなどで構成される包装箱によって包装され、出荷されている。包装箱は、被包装物である物品を段ボール製の箱にすっぽりと収容する形のものが多い。搬送時の衝撃から被包装物を保護するために、緩衝包装材を介して包装箱に被包装物を収容する場合も多い。
【０００３】
単一の包装箱に複数の被包装物を収容したり、包装箱と被包装物との間に間隙を設けて収容したりする場合には、包装箱の内部に、緩衝包装材が配置される。この緩衝包装材は、包装箱内の複数の被包装物が互いに衝突したり、包装箱が衝撃を受けて被包装物が大きく移動し、内壁に衝突したりしないように、緩衝作用をもたらすものである。このようにして緩衝包装材は、包装箱内に収容された被包装物を破損から保護している。
【０００４】
一方、緩衝包装材には、被包装物を衝撃などから保護する作用に加えて、被包装物の取り出し易さを備えた構造のものがある。このような緩衝包装材の一例を、特許文献１に見ることができる。特許文献１に記載された梱包材は、カートンケースの中に、クッション材と、上部に取っ手部を有し、製品及びクッション材の外側から挟み込むようにしたコ字状の梱包補助シート（緩衝包装材）とを備えている。
【特許文献１】特開２０００−２８９７７７号公報（第３頁、図１）
【発明の開示】
【発明が解決しようとする課題】
【０００５】
特許文献１に記載された梱包材は、梱包補助シート（緩衝包装材）の取っ手部に手を掛け、カートンケースに対して引き上げることにより、製品を容易に取り出せるようになっている。しかしながら、この梱包補助シート（緩衝包装材）は、製品及びクッション材の外側から挟み込むようにしたコ字状であるので、直方体をなす製品の、一方の対向する一対の側面の箇所だけにシート材が存在し、他方の対向する一対の側面の箇所には何も存在しない。これにより、梱包補助シートを引き上げて、カートンケースから製品を取り出すとき、バランスを崩し、シート材が存在しない箇所から製品が落下する恐れがある。その結果、製品を破損したり、作業者がけがをしたりする可能性があり、その危険性が懸念される。
【０００６】
そこで、引き上げることで包装箱から被包装物を取り出し易くなり、且つその取り出し時に被包装物のみが落下するのを防止することが可能な緩衝包装材が要求される。このため、緩衝包装材は、被包装物の四方の側面を保護する必要があるが、上面部を開口した箱形状にすると、包装箱から被包装物を取り出した後、緩衝包装材から被包装物を取り出し難くなる。これにより、緩衝包装材の構成には、包装箱から被包装物を取り出した後、緩衝包装材から被包装物を取り出す際の作業性も考慮に入れる必要がある。
【０００７】
そして、そのような緩衝包装材を構成するにあたっては、昨今推し進められている省資源化、低コスト化を十分考慮する必要がある。したがって、緩衝包装材は、容易に何度でも使用することができるリサイクル性の高いものが望ましい。そのためには、複雑な結合構造を形成したり、材料を糊付けしたりするようなことはできるだけ回避して、緩衝包装材を構成しなければならない。
【０００８】
本発明は上記の点に鑑みなされたものであり、包装箱の内部に配置される緩衝包装材において、それを引き上げることで包装箱から被包装物を取り出し易くなり、且つその取り出し時の被包装物の落下防止が可能であることに加えて、緩衝包装材からも被包装物を取り出し易く、リサイクル性が高められた緩衝包装材を提供することを目的とする。
【課題を解決するための手段】
【０００９】
上記の課題を解決するため、本発明は、緩衝包装材において、被包装物を載置する底面部と、この底面部に隣接し、折り曲げて起立させることで被包装物の四方の側面を保護する側面部とを備えるとともに、これら側面部の間に、第１の対向する一対の側面部と、第２の対向する一対の側面部とが係合することにより、第１の対向する一対の側面部は外側に所定角度まで傾斜させるように開放することが可能であって、第２の対向する一対の側面部は起立した状態で保持することが可能な開閉構造を備えることとした。
【００１０】
また、上記構成の緩衝包装材において、前記開閉構造は、前記第１の対向する一対の側面部に設けられ、前記第２の対向する一対の側面部に向かって延びる、先端に開放規制部を有するアーム部と、第２の対向する一対の側面部に設けられ、前記開放規制部が係合する開口部を有する、前記アーム部の収容部とを備えることとした。
【００１１】
また、上記構成の緩衝包装材において、前記側面部のうち、前記第１の対向する一対の側面部は、手を掛けることが可能な把手部を備えることとした。
【００１２】
また、上記構成の緩衝包装材において、前記把手部は、補強部材を備えることとした。
【発明の効果】
【００１３】
本発明の構成によれば、緩衝包装材が、被包装物を載置する底面部と、この底面部に隣接し、折り曲げて起立させることで被包装物の四方の側面を保護する側面部とを備えるとともに、これら側面部の間に、第１の対向する一対の側面部と、第２の対向する一対の側面部とが係合することにより、第１の対向する一対の側面部は外側に所定角度まで傾斜させるように開放することが可能であって、第２の対向する一対の側面部は起立した状態で保持することが可能な開閉構造を備えることとしたので、緩衝包装材から被包装物を取り出すとき、対向する一対の側面部を外側に開放することができる。そして、このような作用をもたらす開閉構造は、四方の側面部全てをほぼ起立した状態で保持することができる。これにより、緩衝包装材は、被包装物を保護する形態をほぼ保持したままで、緩衝包装材から被包装物を容易に取り出すことができる。また、この緩衝包装材は、底面部と、被包装物の四方の側面を保護する側面部とを備えることにより、それを引き上げることで包装箱から被包装物を取り出すことができ、その取り出し時における緩衝包装材からの被包装物の落下を阻止することが可能である。このようにして、包装箱の内部に配置される緩衝包装材において、それを引き上げることで包装箱から被包装物を取り出し易くなり、且つその取り出し時の被包装物の落下防止が可能であることに加えて、緩衝包装材からも被包装物を取り出し易く、リサイクル性が高められた緩衝包装材を得ることができる。
【００１４】
また、前記開閉構造は、前記第１の対向する一対の側面部に設けられ、前記第２の対向する一対の側面部に向かって延びる、先端に開放規制部を有するアーム部と、第２の対向する一対の側面部に設けられ、前記開放規制部が係合する開口部を有する、前記アーム部の収容部とを備えることとしたので、簡便な構成で得ることできる。これにより、複雑な結合構造を形成したり、材料を糊付けしたりすることなく、できるだけ少量の部材を使用して、被包装物を保護する形態を保持したままで、緩衝包装材から被包装物を容易に取り出すことが可能な構成を形成することができる。したがって、リサイクル性が一層高められた緩衝包装材を提供することが可能である。
【００１５】
また、前記側面部のうち、前記第１の対向する一対の側面部は、手を掛けることが可能な把手部を備えることとしたので、包装箱から被包装物を取り出し易くする作用を高めることができる。また、把手部は起立状態と、外側に傾斜した状態とに開閉する側面部に設けられているので、緩衝包装材を包装箱から引き上げた際、意図せず側面部が開放されて、被包装物の保持が不安定になることを防止することが可能である。したがって、包装箱からの被包装物の取り出し時において、作業性を高めることができ、且つ落下防止作用も高めることが可能になる。
【００１６】
また、前記把手部は、補強部材を備えることとしたので、被包装物が比較的重い場合であっても、緩衝包装材を包装箱から引き上げるときの、把手部の破損を防止することができる。また、把手部をしっかり掴むことが可能になる。したがって、包装箱から被包装物を取り出す際、把手部の破損に起因する被包装物の落下防止が可能であるとともに、取り出し作業の効率向上を図ることができる。
【発明を実施するための最良の形態】
【００１７】
以下、本発明の実施形態を図１〜図６に基づき説明する。
【００１８】
最初に、本発明の実施形態に係る緩衝包装材について、図１〜図４を用いてその構成を説明する。図１は緩衝包装材全体の斜視図、図２は緩衝包装材の展開図、図３は図１と同様の緩衝包装材全体の斜視図にして、開閉構造の箇所を折り曲げる前の状態を示すもの、図４は図１の開閉構造の箇所を示す部分拡大斜視図である。
【００１９】
緩衝包装材１は、図１に示すように、その外形寸法が、直方体形状をなす包装箱１００の内部に収まるように形成されている。緩衝包装材１は、被包装物１０１を載置する底面部２と、この底面部２に隣接して、略垂直に起立せしめられた側面部３〜６とを備えている。側面部３〜６は、第１の対向する一対の側面部３、４に対して、第２の対向する一対の側面部５、６が直交している。これらの側面部３〜６で包囲された緩衝包装材１の内部の収容空間に、被包装物１０１が収容され、その四方の側面が保護されている。なお、図１に示す白抜き矢印は、緩衝包装材１及び被包装物１０１の正面方向を指している。
【００２０】
緩衝包装材１を展開すると、図２に示す展開図となる。緩衝包装材１は、展開した状態において板状をなす部材であって、段ボールで構成されている。
【００２１】
図２に示す緩衝包装材１の折り目７、８で、底面部２の外側部分を略垂直上方に折り曲げ、起立させることにより、図２における左右方向に位置する、対向する二辺の箇所に略垂直な側面部３、４が形成される（図１及び図３参照）。同様に、緩衝包装材１の折り目９、１０で、底面部２の外側部分を略垂直上方に折り曲げ、起立させることにより、図２における上下方向に位置する、対向する二辺の箇所に略垂直な側面部５、６が形成される。
【００２２】
第１の対向する一対の側面部３、４と、第２の対向する一対の側面部５、６との間には、図１〜図４に示すように、開閉構造２０、３０が備えられている。開閉構造２０は正面側に、一方開閉構造３０は背面側に設けられ、それら各々が、アーム部２１、３１と、その収容部２２、３２とを備えている。
【００２３】
アーム部２１、３１は、側面部３、４に各々１個ずつ設けられている。アーム部２１は、側面部３、４から前方に、すなわち側面部５の方に向かって延びるように、側面部３、４から突出する形にして形成されている。一方、アーム部３１は、側面部３、４から後方に、すなわち側面部６の方に向かって延びるように、側面部３、４から突出する形で形成されている。開閉構造２０、３０を形成するとき、アーム部２１、３１は、図２に示す折り目２３、３３にて、図３及び図４に示すように側面部５、６の方に向かって略直角に折り曲げられる。また、アーム部２１、３１の先端には、図３に示すように、上方に突出部を設けた鉤状の形にして形成された開放規制部２４、３４が備えられている。
【００２４】
収容部２２、３２は、側面部５、６の箇所に各々１個ずつ設けられ、開口部２５、３５を備えている。収容部２２、３２は、側面部５、６を起立状態にして形成すべく図２に示す折り目９、１０で上方に向かって折り曲げた後（図３参照）、開口部２５、３５の箇所から外側を下方に折り曲げることによって形成される。また、これにより、図１及び図４に示すように、側面部５、６の上端部、すなわち収容部２２、３２の上端部には、開口部２５、３５が位置する。
【００２５】
図２に示す側面部５、６の先端には係合溝２６、３６が設けられている。また、収容部２２、３２を形成したときに係合溝２６、３６に対応する側面部５、６の根元側部分の箇所には、差込片２７、３７が設けられている（図１及び図４参照）。差込片２７、３７は、側面部５、６から切り起こしにて外側に、すなわち係合溝２６、３６の方に向かって延びるように形成されている。なお、係合溝２６、３６は、差込片２７、３７を受け入れ可能な大きさ、形状をなしている。そして、収容部２２、３２を形成する際、差込片２７、３７各々を、しっかりと係合溝２６、３６に挿入して、保持させることにより、開口部２５、３５の箇所を境にして、側面部５、６の根元側部分と先端側部分との間に空間を形成することができる。
【００２６】
収容部２２、３２は、図１及び図４に示すように、開口部２５、３５の箇所を境にして、側面部５、６の根元側部分と先端側部分との間にできた空間に、アーム部２１、３１を収容している。なお、図４では開閉構造２０のみを描画しているが、開閉構造３０も、その構成は開閉構造２０と同様である。アーム部２１、３１を収容部２２、３２に収容すると、収容部２２、３２上端の開口部２５、３５には、アーム部２１、３１の開放規制部２４、３４が挿入される。このようにして、緩衝包装材１の、第１の対向する一対の側面部３、４と、第２の対向する一対の側面部５、６とを係合させる開閉構造２０、３０が、側面部３、４と側面部５、６との間に介在している。
【００２７】
なお、アーム部２１、３１を有する側面部３、４は、その上部に把手部４０を備えている。把手部４０は、各々、大きさが異なる手掛け孔４１、４２を備えている。手掛け孔４１、４２は、側面部３、４の板状部材を貫通する形で設けられ、手を挿入して、掛けることが可能な大きさ、形状をなしている。また、把手部４０は、図１に示すように、補強部材４３を備えている。補強部材４３は、緩衝包装材１本体より厚みのある板状部材で構成され、手掛け孔４１、４２を十分カバーする大きさをなしている。補強部材４３は、側面部３、４の外面に密着して積層する形で設けられている。
【００２８】
作業者が一人の場合において包装箱１００から包装物１０１を取り出すとき、作業者は包装箱１００の正面側から、緩衝包装材１の把手部４０の手掛け孔４２に手を掛け、引き上げることにより、容易に包装物１０１を取り出すことができる。作業者が２人の場合には、手掛け孔４１、４２各々に手を掛ける。
【００２９】
続いて、緩衝包装材１の開閉構造２０、３０の作用について、図１及び図４に加えて、図５及び図６を用いて説明する。図５は図１と同様の緩衝包装材全体の斜視図にして、対向する一対の側面部を開放した状態を示すもの、図６は緩衝包装材の正面図にして、対向する一対の側面部を開放した状態を示すものである。なお、図５では、緩衝包装材１の背面側に位置する開閉構造３０の描画を省略している。開閉構造２０、３０はともに作用が同じであるので、代表して開閉構造２０を用いてその作用を説明する。
【００３０】
前述のように緩衝包装材１を組み立てることにより、開閉構造２０は、図１及び図４に示す形に形成される。
【００３１】
開閉構造２０は、側面部３、４と側面部５とを強固に結合するわけではなく、その側面部５側に設けられた収容部２２内で、側面部３、４側に設けられたアーム部２１を変位させることができる。すなわち、図５及び図６に示すように、側面部３、４は、外側に傾斜させるように開放することが可能である。側面部３、４は、アーム部２１の開放規制部２４が、収容部２２上端の開口部２５の端部に係合して、その開放が阻止される角度まで傾斜させることが可能である。
【００３２】
側面部３、４を傾斜させるように開放すると、その上部には、被包装物１０１との間に空間Ｓが生まれる。この空間Ｓが生まれることにより、緩衝包装材１から被包装物１０１を取り出すとき、緩衝包装材１を破損することなく、空間Ｓの箇所から容易に手を入れることができる。
【００３３】
なお、側面部５は、開閉構造２０のアーム２１と収容部２２とが係合していることにより、起立した状態で保持されている。
【００３４】
上記のように、緩衝包装材１は、被包装物１０１を載置する底面部２と、この底面部２に隣接し、折り曲げて起立させることで被包装物１０１の四方の側面を保護する側面部３〜６とを備えるとともに、これら側面部３〜６の間に、第１の対向する一対の側面部３、４と、第２の対向する一対の側面部５、６とが係合することにより、第１の対向する一対の側面部３、４は外側に所定角度まで傾斜させるように開放することが可能であって、第２の対向する一対の側面部５、６は起立した状態で保持することが可能な開閉構造２０、３０を備えているので、緩衝包装材１から被包装物１０１を取り出すとき、対向する一対の側面部３、４を外側に開放することができる。そして、このような作用をもたらす開閉構造２０、３０は、四方の側面部３〜６全てをほぼ起立した状態で保持することができる。これにより、緩衝包装材１は、被包装物１０１を保護する形態をほぼ保持したままで、緩衝包装材１から被包装物１０１を容易に取り出すことができる。また、この緩衝包装材１は、底面部２と、被包装物１０１の四方の側面を保護する側面部３〜６とを備えることにより、それを引き上げることで包装箱１００から被包装物１０１を取り出すことができ、その取り出し時における緩衝包装材１からの被包装物１０１の落下を阻止することが可能である。このようにして、包装箱１００の内部に配置される緩衝包装材１において、それを引き上げることで包装箱１００から被包装物１０１を取り出し易くなり、且つその取り出し時の被包装物１０１の落下防止が可能であることに加えて、緩衝包装材１からも被包装物１０１を取り出し易く、リサイクル性が高められた緩衝包装材１を得ることができる。
【００３５】
また、開閉構造２０、３０は、第１の対向する一対の側面部３、４に設けられ、第２の対向する一対の側面部５、６に向かって延びる、先端に開放規制部２４、３４を有するアーム部２１、３１と、第２の対向する一対の側面部５、６に設けられ、開放規制部２４、３４が係合する開口部２５、３５を有する、アーム部２１、３１の収容部２２、３２とを備えているので、簡便な構成で得ることできる。これにより、複雑な結合構造を形成したり、材料を糊付けしたりすることなく、できるだけ少量の部材を使用して、被包装物１０１を保護する形態を保持したままで、緩衝包装材１から被包装物１０１を容易に取り出すことが可能な構成を形成することができる。したがって、リサイクル性が一層高められた緩衝包装材１を提供することが可能である。
【００３６】
そして、側面部３〜６のうち、第１の対向する一対の側面部３、４は、手を掛けることが可能な把手部４０を備えているので、包装箱１００から被包装物１０１を取り出し易くする作用を高めることができる。また、把手部４０は起立状態と、外側に傾斜した状態とに開閉する側面部３、４に設けられているので、緩衝包装材１を包装箱１００から引き上げた際、意図せず側面部が開放されて、被包装物１０１の保持が不安定になることを防止することが可能である。したがって、包装箱１００からの被包装物１０１の取り出し時において、作業性を高めることができ、且つ落下防止作用も高めることが可能になる。
【００３７】
また、把手部４０は、補強部材４３を備えているので、被包装物１０１が比較的重い場合であっても、緩衝包装材１を包装箱１００から引き上げるときの、把手部４０の破損を防止することができる。また、把手部４０をしっかり掴むことが可能になる。したがって、包装箱１００から被包装物１０１を取り出す際、把手部４０の破損に起因する被包装物１０１の落下防止が可能であるとともに、取り出し作業の効率向上を図ることができる。
【００３８】
以上、本発明の実施形態につき説明したが、本発明の範囲はこれに限定されるものではなく、発明の主旨を逸脱しない範囲で種々の変更を加えて実施することができる。
【産業上の利用可能性】
【００３９】
本発明は、被包装物である物品を包装するための包装箱の内部に配置される緩衝包装材全般において利用可能である。
【図面の簡単な説明】
【００４０】
【図１】本発明の実施形態に係る緩衝包装材全体の斜視図である。
【図２】図１に示す緩衝包装材の展開図である。
【図３】図１と同様の緩衝包装材全体の斜視図にして、開閉構造の箇所を折り曲げる前の状態を示すものである。
【図４】図１の開閉構造の箇所を示す部分拡大斜視図である。
【図５】図１と同様の緩衝包装材全体の斜視図にして、対向する一対の側面部を開放した状態を示すものである。
【図６】図５に示す緩衝包装材の正面図にして、対向する一対の側面部を開放した状態を示すものである。
【符号の説明】
【００４１】
１    緩衝包装材
２    底面部
３、４、５、６  側面部
２０、３０  開閉構造
２１、３１  アーム部
２２、３２  収容部
２４、３４  開放規制部
２５、３５  開口部
１００  包装箱
１０１  被包装物
【図１】
2009292501.tif 000003
【図２】
2009292501.tif 000004
【図３】
2009292501.tif 000005
【図４】
2009292501.tif 000006
【図５】
2009292501.tif 000007
【図６】
2009292501.tif 000008